(57)【特許請求の範囲】
【請求項１】
１又は複数の光源からの照射光を反射させる反射面を有し、該反射面で反射された光が出光板から出光するバックライト用のリフレクタにおいて、
前記反射面に略平行な第１の面を有する基台と、該基台から突出され前記反射面に非平行な第２の面を有する突起部とが設けられ、前記第１および第２の面を含む支持面によって前記光源を支持する光源支持台を備え、
前記光源支持台は前記反射面に設けられ、
前記光源支持台の前記突起部には、前記出光板を支持する出光板支持面が前記第２の面と隣接して設けられていることを特徴とするバックライト用リフレクタ。
【請求項２】
前記光源支持台は、前記支持面が全ての方向から前記光源を支持すべくなしてある請求項１に記載のバックライト用リフレクタ。
【請求項３】
前記基台は、複数の前記光源を支持可能であり、複数の前記突起部が前記光源に対応する位置に設けられている請求項１または２に記載のバックライト用リフレクタ。
【請求項４】
請求項１乃至３のいずれか１項に記載のリフレクタと、該リフレクタの前記光源支持台に支持された前記光源と、前記リフレクタに対向配置された前記出光板とを備えることを特徴とするバックライト。
【発明の詳細な説明】
【０００１】
【発明の属する技術分野】
本発明は、液晶ディスプレイのような表示装置に用いられる直下方式のバックライト及びそれを構成するリフレクタに関する。
【０００２】
【従来の技術】
液晶表示装置用のバックライトは直下方式及びサイドライト方式が知られている。直下方式は線状光源の複数が配列されたケースを出光板で覆った構成のバックライトであり、線状光源からの照射光がケース底面の反射面にて反射した反射光と線状光源からの直接の照射光とが出光板から出光し、上方に配された液晶表示装置を背後から照射する方式である。また、サイドライト方式のバックライトは光源からの照射光が導光板を介して面発光し、上方に配された液晶表示装置を背後から照射する方式である。サイドライト方式のバックライトは導光板を備えるため、大型の液晶表示装置に用いた場合はその重量が増す欠点がある。これに対して直下方式のバックライトは液晶表示装置が大型であってもサイドライト方式よりも重量が小さく、表示装置の大型化に有効である。
【０００３】
図１６は従来の直下方式のバックライトの構成を示す断面図である。図に示すように、従来のバックライト５０は、シャーシ５２の底面に複数本の線状光源５４，５４…が所定間隔を有して配列され、シャーシ５２の上部をライティングカーテン５１で覆い、該ライティングカーテン５１上に拡散板５３を重ねた構成である。シャーシ５２の内面は光反射機能を有し、線状光源５４からの照射光はシャーシ５２の底面及び内側面で反射されてライティングカーテン５１に向かう。ライティングカーテン５１は線状光源５４からの直接光とシャーシ５２での反射光とをこれらの光量を均一化して透過する。この透過光は拡散板５３を経てさらに光量が均一化され、視野角による光量変化が少なくなるように出光される。
【０００４】
また、シャーシ５２内にはその深さと略同寸法の高さを有する２本のリブ５５，５５が配設されており、リブ５５の上面でライティングカーテン５１及び拡散板５３を支持している。一般に直下方式によるバックライトでは、出光面を形成するライティングカーテン５１及び拡散板５３は、周囲領域のみがシャーシ５２の４辺で支持されているために自重により中央領域が垂れ下がり易く、その歪みにより出光面の光量が場所により不均一になる。またこの輝度むらは表示装置が大型であるほど顕著になる。図１６に示すバックライトではリブ５５の上面で出光面の中央領域を支持しているので出光面の歪みを防止し、輝度むらをなくすことができる。
【０００５】
【発明が解決しようとする課題】
上述したバックライトではリブにより出光面の歪みを防止できる。しかしながら、線状光源の自重による撓みを防止することはできない。線状光源は表示面の大型化及び薄型化に伴って長寸化及び小径化されつつあるため、自重により中央部が撓み易くなる。線状光源の撓みにより線状光源と出光面との距離が場所により異なり、出光面の光量が不均一になるという問題があった。これを解決するために、線状光源の長さ方向中央にＯリングを嵌めたバックライトが提案されている。Ｏリングは合成ゴム又は天然ゴムで形成されており、Ｏリングを装着することにより線状光源とシャーシ底面との間にＯリングが介在するため、線状光源の自重によるシャーシ底面側への撓みが防止される。
【０００６】
液晶表示装置は、その表示面を水平にして使用する他に表示面を立てて使用することが多い。そのときバックライトの出光面も立てた状態になる。図１７は従来のバックライトを立てた状態の側面図であり、出光面を省略して示している。図に示すように、シャーシ６２内に複数本の線状光源６４，６４…が所定間隔で配設されており、線状光源６４には長さ方向略中央にＯリング６３が外嵌されている。このような向きのバックライト６０ではＯリング６３による線状光源６４の支持は望めず、線状光源６４が自重により垂れ下がり、長さ方向略中央で撓むという問題があった。また、Ｏリング６３の重さが線状光源６４の撓みを悪化させるという問題があった。
【０００７】
本発明は、かかる事情に鑑みてなされたものであり、バックライトがいずれの向きで使用されても線状光源を支持でき、その撓みを防止する光源支持台を取付けたリフレクタ及び該リフレクタを備えるバックライトを提供することを目的とする。
【０００８】
また、バックライトがいずれの向きで使用されても線状光源を支持でき、且つ、バックライトが備える出光板を支持することが可能な光源支持台を取付けたリフレクタ及び該リフレクタを備えるバックライトを提供することを目的とする。
【０００９】
【課題を解決するための手段】
本発明に係るバックライト用リフレクタは、１又は複数の光源からの照射光を反射させる反射面を有し、該反射面で反射された光が出光板から出光するバックライト用のリフレクタにおいて、前記反射面に略平行な第１の面を有する基台と、該基台から突出され前記反射面に非平行な第２の面を有する突起部とが設けられ、前記第１および第２の面を含む支持面によって前記光源を支持する光源支持台を備える。また、前記光源支持台は前記反射面に設けられる。さらに、前記光源支持台の前記突起部には、前記出光板を支持する出光板支持面が前記第２の面と隣接して設けられていることを特徴とする。
【００１１】
本発明によれば、リフレクタが備える光源支持台の支持面によって、例えば線状光源を少なくとも２方向から支持することができる。従って、例えば表示装置の表示面が水平上向きから鉛直までのいずれの角度で使用されても線状光源を支持でき、その撓みを防止することができる。その結果、出光面の輝度むらを解消する。ここでリフレクタとは反射具のことであり、光を反射させる反射面を有するケース，板などどのような形状のものも含む。また、本発明によれば、前記光源支持台は、光源の支持に加えて出光板をも支持するので、出光板の撓みを防止でき、出光面の輝度むらをさらに解消できる。また、本発明によれば、光源は光源支持台の基台と突起部で支持されるので、表示装置の表示面が例えば鉛直，水平上向き及びその間の斜め角度で使用された場合にいずれの向きでも線状光源の支持が確実に行なわれる。
【００１４】
第２発明に係るバックライト用リフレクタが備える前記光源支持台は、前記支持面が全ての方向から前記光源を支持すべくなしてあることを特徴とする。
【００１５】
第２発明にあっては、前記光源支持台は全ての方向から光源を支持できるので、表示装置の表示面が鉛直，水平上向き，斜めの他に水平下向きで使用された場合でも光源を支持でき、その撓みを防止できる。
【００２０】
第３発明に係るバックライト用リフレクタは、前記基台は複数の光源を支持可能であり、複数の前記突起部が前記光源に対応する位置に設けられていることを特徴とする。
【００２１】
第３発明にあっては、ひとつの光源支持台に複数の光源を支持できるので、光源支持台の取付け工程が簡略化される。また、光源と同数の光源支持台を取付ける場合と比較して光源との位置合わせの手間を省くことができる。
【００２２】
第４発明に係るバックライトは、第１乃至第３発明のいずれかに記載のリフレクタと、該リフレクタの前記光源支持台に支持された前記光源と、前記リフレクタに対向配置された前記出光板とを備えることを特徴とする。
【００２３】
第４発明にあっては、バックライトが照射すべき表示装置の表示面が鉛直と水平上向きとに向きを変えて使用されでも、いずれの向きでも線状光源を支持でき、その撓みを防止することができる。また、表示面が鉛直と水平上向きとの間の斜め角度で使用された場合でも、さらに水平下向きで使用された場合でもいずれの向きでも線状光源を確実に支持でき、その撓みを防止することができる。さらにまた、光源支持台により出光板も支持するので出光板の撓みを防止でき、出光面の輝度むらを解消できる。
【００２４】
【発明の実施の形態】
以下、本発明をその実施の形態を示す図面に基づき具体的に説明する。
実施の形態１．
図１は本発明に係る実施の形態１のバックライトの構成を示す部分破断斜視図であり、図２は図１のバックライトのII−II線から見た断面図である。図に示すように、バックライト１は直下方式であり、４辺にリブを有するケース２内に複数の線状光源４，４…が平行に取付けられ、ケース２の上部を光透過性を有する合成樹脂製の拡散板（出光板）３で覆った構成である。ケース２は合成樹脂又は金属で形成されており、ケース２の底面２ａ及び内側面２ｂは高反射性の塗料が塗布されて線状光源４の照射光を反射せしめる反射面が形成されており、本実施の形態ではケース２自身がリフレクタとして機能する。ケース２の底面２ａには、本発明の特徴となる光源支持台１０，１０…が各線状光源４に対応する位置に固定されている。拡散板３はケース２内の底面２ａと略平行に配されている。図２に示すように、各線状光源４の長さ方向略中央が光源支持台１０の第１支持面１１ａ上に載置されている。なお、拡散板３はアクリル樹脂板，ＰＥＴ（polyethylene terephthalate）板を用いても良い。
【００２５】
図３は図１に示す光源支持台の構造を示す拡大斜視図である。光源支持台１０は例えば合成樹脂，合成ゴム，天然ゴム，金属などで形成されている。図３に示すように、光源支持台１０は矩形板状の基台１１と、該基台１１上から突出する略直方体形状の第１及び第２突起部１２，１３とで構成され、一体的に成形されている。第１及び第２突起部１２，１３は所定間隔を隔てて基台１１の前記第１支持面１１ａ側に設けられ、夫々の側面である第２支持面１２ａ及び第３支持面１３ａが対面している。第１及び第２突起部１２，１３の間隔は、線状光源４の直径よりも少し大きい寸法であり、第１支持面１１ａのこの領域を通るように線状光源４が配される。これにより、線状光源４はバックライト１の向きに応じて、連続する第１，第２及び第３支持面１１ａ，１２ａ，１３ａのいずれかに支持され得る。
【００２６】
また、第１突起部１２は上面１２ｂが拡散板３に当接する高さを有し、これにより光源支持台１０は拡散板３を支持している。第２突起部１３の高さは第１突起部１２よりも低く、線状光源４の直径よりも少し短いか又は少し長い。このような構造の光源支持台１０は、基台１１の底面１１ｂ側をケース２の底面２ａに例えば接着剤で接着することにより固定されている。
【００２７】
以上の如き構成のバックライト１にあっては、線状光源４，４…からの照射光が直接拡散板３から出光、又は、ケース２の底面２ａで反射されて拡散板３から出光する。この光により、バックライトの前方に配された液晶表示装置が背後から照射される。図２に示すようにバックライト１が水平上向きに置かれた場合、線状光源４は光源支持台１０の第１支持面１１ａで支持されているので撓むことがない。図４は、実施の形態１のバックライトを鉛直に立てた状態を示す側面図であり、拡散板を省略して示している。バックライト１はほぼ鉛直に立てた状態にあり、線状光源４，４…の自重は図の下向きに作用している。光源支持台１０は、第１突起部１２が下側、第２突起部１３が上側になっており、線状光源４は光源支持台１０の第２支持面１２ａで支持されているので撓むことがない。また、図４のバックライト１の上下が逆の場合であっても、線状光源４は光源支持台１０の第３支持面１３ａで支持されるので撓むことがない。さらに、バックライト１が水平，鉛直間の斜め角度にある場合でも、連続した第１，第２及び第３支持面１１ａ，１２ａ，１３ａのいずれかで必ず支持されるので線状光源４が撓むことがない。
【００２８】
このように、バックライト１が水平上向きから鉛直までのいずれの向きで使用されても線状光源の撓みを防止できる。また、第１突起部１２の上面１２ｂで拡散板３を支持しているので、加えて拡散板３の撓みも防止できる。
【００２９】
なお、反射面となるケース２の底面２ａは塗料を塗布する他に、例えば銀蒸着シートのように高反射性を有するシートをケース２内に貼り付けても良い。
また、光源支持台１０は基台１１，第１及び第２突起部１２，１３の各部材が一体成形してあることの他に各部分を接着して形成しても良い。
さらに、光源支持台１０のケース２への固定は接着剤で貼り付ける他に、粘着テープを用いても良いし、螺子又はその他の係止具で固定してあっても良い。さらにまた、ケース２の底面２ａ（反射面）と光源支持台１０とを一体的に成形してあっても良い。
【００３０】
実施の形態２．
図５は本発明の実施の形態２のバックライトが備える光源支持台の構造を示す斜視図であり、図６は実施の形態２のバックライトを鉛直に立てた状態の断面図である。図５に示すように、実施の形態２の光源支持台２０は、略直方体形状の基台１１と、該基台１１の第１支持面１１ａの一端側から突出する略直方体形状の第１突起部１２とで構成されている。第１突出部１２は、第１支持面１１ａの他端側に向く第２支持面１２ａを有している。第１支持面１１ａの第１突起部１２が設けられていない領域を通って線状光源４が配される。また、第１突起部１２は上面１２ｂが拡散板３に当接する高さを有し、これにより光源支持台１０は拡散板３を支持している。光源支持台２０のその他の構成及びバックライトの構成は実施の形態１と同様であり、対応する部分に対応する符号を付し、説明を省略する。
【００３１】
以上の如き構成のバックライト１にあっては、バックライト１が水平上向きの際は線状光源４は第１支持面１１ａで支持され、図６に示すように、第１突起部１２が下側になるようにバックライト１を鉛直に立てた際は線状光源４は第２支持面１２ａで支持されるので撓むことがない。また、第１突起部１２で拡散板３を支持しているので拡散板３の撓みも防止できる。
【００３２】
実施の形態３．
図７は本発明の実施の形態３のバックライトが備える光源支持台の構造を示す斜視図であり、図８は実施の形態３のバックライトを水平上向きに置いた状態の断面図である。図７に示すように、実施の形態３の光源支持台２１は、略直方体形状の基台１１と、該基台１１上から突出する略直方体形状の第１及び第２突起部１２，１３とで構成されている。第１及び第２突起部１２，１３は同高さを有しており、拡散板３と非接触である。光源支持台２１のその他の構成及びバックライトの構成は実施の形態１と同様であり、対応する部分に対応する符号を付し、説明を省略する。
【００３３】
以上の如き構成のバックライト１にあっては、図８に示すように、バックライト１が水平上向きの際に線状光源４は第１支持面１１ａで支持され、バックライト１を鉛直に立てた際は第２支持面１２ａ又は第３支持面１３ａで支持されるので、線状光源４が撓むことがない。
【００３４】
実施の形態４．
図９は本発明の実施の形態４のバックライトが備える光源支持台の構造を示す斜視図である。バックライトの光源支持台の他の構成は実施の形態１と同様であり、構成図及びその説明を省略する。図に示すように、実施の形態４の光源支持台３０は板状で平面視で一側で矩形、他側で凹周を有する形状をなしている。凹周側は周面３０ａと、その両側に連なり、矩形側の基部３１から夫々延びる突出部とを有する。周面３０ａを上に向けて基部３１をケースの底面に固定することにより、周面３０ａは、その接面がケースの底面に略平行である部分を含む曲面になっている。夫々の突出部の上面（出光板支持面）３０ｂ，３０ｃは、光源支持台３０がケースに固定された状態でケース底面に略平行であり、一方の上面３０ｂのケース底面からの高さは他方の上面３０ｃよりも高く、拡散板に当接してこれを支持するようになっている。
【００３５】
このような構成の光源支持台３０を備えたバックライトにあっては、バックライトを水平上向き、鉛直及び斜めのいずれに向けた場合でも線状光源は周面３０ａで支持されるので撓むことがない。また、上面３０ｂで拡散板を支持しているので拡散板の撓みも防止できるなど、実施の形態１と同様の効果を得る。
【００３６】
実施の形態５．
図１０は本発明の実施の形態５のバックライトが備える光源支持台の構造を示す斜視図である。バックライトの光源支持台の他の構成は実施の形態１と同様であり、構成図及びその説明を省略する。図に示すように、実施の形態５の光源支持台３２は基部３１から延びる突出部の上面３０ｂ，３０ｃが略同一高さ位置である。光源支持台３２のその他の構造は実施の形態４と同様であり、対応する部分に同符号を付して説明を省略する。このような構成の光源支持台３１を備えたバックライトにあっては、バックライトを水平上向き、鉛直及び斜めのいずれに向けた場合でも線状光源は周面３０ａで支持されるので撓まないなど、実施の形態３と同様の効果を得る。
【００３７】
実施の形態６．
図１１は本発明の実施の形態６のバックライトが備える光源支持台の構造を示す斜視図である。バックライトの光源支持台の他の構成は実施の形態１と同様であり、構成図及び説明を省略する。図に示すように、実施の形態６の光源支持台４０は略矩形板状であり、中心に向かう略渦巻き状の略一周分の内周面４０ａを有する。光源支持台４０は、内周面４０ａの両側に基部４１から延びる突出部を有しており、夫々の突出部の上面（出光板支持面）４０ｂ，４０ｃを上側にして基部４１をケースの底面に固定することにより、周面４０ａは略360 °分の曲面を含む。突出部の上面４０ｂ，４０ｃは、光源支持台４０がケースに固定された状態でケース底面に略平行であり、一方の上面４０ｂのケース底面からの高さは他方の上面４０ｃよりも高く、拡散板に当接してこれを支持するようになっている。
【００３８】
図１２は、図１１に示す光源支持台に装入された線状光源の位置を説明する模式図である。切込みの始まり側から挿入された線状光源４は内周面４０ａで支持される。バックライトを水平上向き，鉛直，斜め及び水平下向きのいずれに向けた場合でも線状光源は内周面４０ａで支持されるので撓むことがない。また、矩形面４０ｂで拡散板を支持しているので拡散板の撓みも防止できる。このように実施の形態６のバックライトは全ての方向で線状光源を支持でき、その撓みを防止することができる。液晶表示装置の表示面が、例えばプラネタリウムで鑑賞者が下から見上げる場合のように、下側を向いていても線状光源を支持することが可能となる。
【００３９】
なお、実施の形態６では支持面は周面である場合を説明しているが、これに限るものではなく、平面状の内面を有する形状であっても良い。
【００４０】
実施の形態７．
図１３は本発明の実施の形態７のバックライトが備える光源支持台の構造を示す部分斜視図であり、線状光源と共に示している。バックライトの光源支持台の他の構成は実施の形態１と同様であり、構成図及びその説明を省略する。図に示すように、実施の形態７の光源支持台３３は、長さを有する矩形板状の基台３１と、該基台３１の第１支持面上に突設された略直方体形状の複数の第１突起部３４，３４…及び該第１突起部３４よりも低い第２突起部３５，３５…とで構成されている。第１及び第２突起部３４，３５は、バックライトが備えるべき線状光源４の本数に応じた個数が、所定間隔を隔てて所定の順序で設けられている。各突起部の間隔は線状光源４の直径よりも少し大きい寸法であり、基台３１のこの領域を通って複数の各線状光源４が配される。各突起部の側面である第２支持面及び第３支持面が線状光源４を挟んで対面している。これにより、線状光源４はバックライトの向きに応じて、連続する第１，第２及び第３支持面のいずれかに支持される。
【００４１】
また、第１突起部３４は上面３４ｂが拡散板に当接する高さを有し、これにより光源支持台３３は拡散板を支持している。光源支持台３３は、基台３１の底面をケースの底面に例えば接着剤で接着することにより固定されている。このような構成の光源支持台３３を備えたバックライトにあっては、バックライトを水平上向き、鉛直及び斜めのいずれに向けた場合でも線状光源は第１，第２及び第３支持面で支持されるので撓むことがない。また、上面３４ｂで拡散板を支持しているので拡散板の撓みも防止できるなど、実施の形態１と同様の効果を得る。
【００４２】
さらに、１つの光源支持台３３を取付けることにより複数の線状光源４を支持できるので、光源支持台３３の取付け工程を簡略化でき、また、光源支持台３３と複数の線状光源４との位置合わせを一度ですませることができる。なお、高さが異なる第１及び第２の突起部３４，３５は交互に設けてあっても良いし、拡散板を支持する第１突起部３４を適所に配し、その他の箇所に第２突起部３５を設けてあっても良い。
【００４３】
実施の形態８．
図１４は本発明の実施の形態８のバックライトの断面図である。バックライトの光源支持台の他の構成は実施の形態１と同様であり、その説明を省略する。図に示すように、合成樹脂製，ゴム製又は金属製の光源支持台７０は線状光源４，４…と同数の支持部７３，７３…を直列に連ねた形状で一体成形されており、線状光源４の長さ方向に略直交する方向でケース２内に固定されている。各支持部７３は側周面を長さ方向に切り欠いた管状を有し、切り欠きを上に向けてそこから線状光源４を挿入できるようになっている。支持部７３の内周面である支持面７３ａは半円よりも大きな円周を有するので、バックライトを水平上向き、鉛直及び斜めのいずれに向けた場合でも線状光源４を支持できる。また、光源支持台７０の両端の固定部７２，７２がケース２の底面２ａに接着剤で固定されている。本実施の形態では各支持部７３とケース２とは直接固定されていないが、支持部７３同士が繋がっており、固定部７２がケース２に固定されているので線状光源４は撓むことはない。
【００４４】
また、１つの光源支持台７０を取付けることにより複数の線状光源４を支持できるので、光源支持台３３の取付け工程を簡略化でき、また、光源支持台７０と複数の線状光源４との位置合わせを一度ですませることができるなど、実施の形態７と同様の効果を得る。
【００４５】
実施の形態９．
図１５は本発明の実施の形態９のバックライトの断面図である。バックライトの光源支持台の他の構成は実施の形態１と同様であり、その説明を省略する。図に示すように、合成樹脂製，ゴム製又は金属製の光源支持台７１は線状光源４，４…と同数の支持部７３，７３…を直列に連ねた形状で一体成形されており、線状光源４の長さ方向に略直交する方向でケース２内に固定されている。各支持部７３は開口を上に向けた半管形状を有しており、その径寸法は線状光源４よりも大寸法である。支持部７３の内周面上に弾性及び可撓性を有する保護シート７４を重ねて支持面７３ａが形成されている。
【００４６】
支持面７３ａは略半円分の円周を有するので、バックライトを水平上向き、鉛直及び斜めのいずれに向けた場合でも線状光源４を支持できる。また、光源支持台７０の両端の固定部７２，７２がケース２の内側面２ｂに接着剤で固定されている。本実施の形態では各支持部７３とケース２とは直接固定されていないが支持部７３同士が繋がっており、固定部７２がケース２に固定されているので線状光源４は撓むことはない。また、線状光源４は保護シート７４を介して支持部７３で支持されているので、線状光源４を光源支持台７１に取付ける際の損傷を防止できる。
【００４７】
さらに、１つの光源支持台７０を取付けることにより複数の線状光源４を支持でき、光源支持台３３の取付け工程を簡略化でき、また、光源支持台７１と複数の線状光源４との位置合わせを一度ですませることができるなど、実施の形態７と同様の効果を得る。
【００４８】
なお、このような保護シート７４は、上述した実施の形態１〜８の光源支持台の全てに適用できる。
【００４９】
以上、実施の形態１〜９のバックライトにあっては、光源支持台はリフレクタであるケースに着設した場合を説明しているが、これに限るものではなく、リフレクタと一体的に成形してあっても同様の効果を得る。また、光源支持台は上述した形状に限るものではなく、異なる２方向からの光源支持が可能な形状であれば良い。
【００５０】
また、上述した実施の形態では、線状光源４の長さ方向中央を支持した場合を説明しているが、どこを支持しても良く、また、一線状光源に対して長さ方向の複数箇所を支持するように光源支持台を配しても良い。実施の形態７〜９の複数の線状光源を支持可能な光源支持台については、その複数を平行配置することにより各線状光源について複数箇所を支持でき、光源の支持が確実に行える。
【００５１】
さらに、上述した実施の形態では光源として線状光源を用いた場合を説明しているが、これに限るものではなく、自重により撓みを生じやすい形状の光源に適用できる。
【００５２】
さらにまた、上述した実施の形態では、バックライトの出光板である拡散板とリフレクタの反射面とが対向配置している場合を例にあげて説明しているが、これに限るものではなく、反射面で反射した光が拡散板から出光するように配設してあれば良い。
【００５３】
【発明の効果】
以上のように、本発明においては、光源を光源支持台により少なくとも２方向から支持することができる。その結果、バックライトが照射すべき表示装置の表示面が鉛直と水平上向きとに向きを変えて使用された場合でも光源を支持でき、撓みを防止することができるので、出光面の輝度むらを解消できる。また、本発明においては、光源支持台が光源の支持に加えて出光板を支持するので、出光板の撓みも防止でき、出光面の輝度むらをさらに解消できる。
【００５４】
また本発明においては、１つの光源支持台に複数の光源を支持できるので、光源支持台の取付け工程が簡略化され、さらに、光源と同数の光源支持台を取付ける場合と比較して光源との位置合わせの手間を省くことができる等、本発明は優れた効果を奏する。
【図面の簡単な説明】
【図１】本発明に係る実施の形態１のバックライトの構成を示す部分破断斜視図である。
【図２】図１のバックライトのII−II線から見た断面図である。
【図３】図１に示す光源支持台の構造を示す拡大斜視図である。
【図４】実施の形態１のバックライトを鉛直に立てた状態を示す側面図である。
【図５】実施の形態２のバックライトが備える光源支持台の構造を示す斜視図である。
【図６】実施の形態２のバックライトを鉛直に立てた状態の断面図である。
【図７】実施の形態３のバックライトが備える光源支持台の構造を示す斜視図である。
【図８】実施の形態３のバックライトを水平上向きに置いた状態の断面図である。
【図９】実施の形態４のバックライトが備える光源支持台の構造を示す斜視図である。
【図１０】実施の形態５のバックライトが備える光源支持台の構造を示す斜視図である。
【図１１】実施の形態６のバックライトが備える光源支持台の構造を示す斜視図である。
【図１２】図１１に示す光源支持台に装入された線状光源の位置を説明する模式図である。
【図１３】実施の形態７のバックライトが備える光源支持台の構造を示す部分斜視図である。
【図１４】実施の形態８のバックライトの断面図である。
【図１５】実施の形態９のバックライトの断面図である。
【図１６】従来の直下方式のバックライトの構成を示す断面図である。
【図１７】従来のバックライトを立てた状態の側面図である。
【符号の説明】
１  バックライト
２  ケース
２ａ  底面（反射面）
２ｂ  内側面（反射面）
３  拡散板（出光板）
４  線状光源
１０，２０，２１，３０，３２，３３，４０，７０，７１  光源支持台
１１  基台
１１ａ  第１支持面
１２，１３  突起部
１２ａ  第２支持面
１３ａ  第３支持面
３０ａ，４０ａ，７３ａ  周面（支持面）
３１，４１  基部
１２ｂ，３０ｂ，３４ｂ，４０ｂ  上面（出光板支持面）
７３  支持部
【図１】
0003976468.tif 000002
【図２】
0003976468.tif 000003
【図３】
0003976468.tif 000004
【図４】
0003976468.tif 000005
【図５】
0003976468.tif 000006
【図６】
0003976468.tif 000007
【図７】
0003976468.tif 000008
【図８】
0003976468.tif 000009
【図９】
0003976468.tif 000010
【図１０】
0003976468.tif 000011
【図１１】
0003976468.tif 000012
【図１２】
0003976468.tif 000013
【図１３】
0003976468.tif 000014
【図１４】
0003976468.tif 000015
【図１５】
0003976468.tif 000016
【図１６】
0003976468.tif 000017
【図１７】
0003976468.tif 000018